(57)【要約】【課題】録画装置において、異なるコピー制限の番組が連続して放送され、これらの番組をまとめて録画した場合であっても、これらの番組をコピー制限に適した回数だけダビングする。【解決手段】（ａ）に示すように、「コピーワンス」の番組Ｃ１１と、「ダビング１０」の番組Ｃ１２と、「コピーフリー」の番組Ｃ１３とが連続して放送されるとする。録画装置は、これらの番組を録画するとき、コピー制御情報を取得した後、各番組のコピー制限の種類を判別する。そして、「コピーワンス」である番組、「ダビング１０」である番組、「コピーフリー」である番組を、それぞれ１番組ファイルとしてＨＤＤ１６に記録する。これにより（ｂ）に示すように、ＨＤＤ１６には、「コピーワンス」の番組ファイルＡ１と、「ダビング１０」の番組ファイルＡ２と、「コピーフリー」の番組ファイルＡ３とが記録される。従って番組ファイルにはコピー制限の異なる番組が混在しない。【選択図】図３
2010165419.tif 000002
【特許請求の範囲】
【請求項１】
複数の番組とこれらの番組のコピー制御情報とを格納した番組ファイルを記録するための録画媒体と、
前記録画媒体に番組ファイルを記録する録画手段と、
録画対象となる各番組のコピー制御情報に示されるコピー制限の種類を判別するコピー制限判別手段と、
装置各部を制御する制御手段とを備える録画装置において、
前記制御手段は、
前記録画手段を用いて前記録画媒体に番組ファイルを記録するときに、前記コピー制限判別手段を用いて、前記各番組のコピー制限の種類を判別し、この判別の結果、同種類のコピー制限が設定されている番組のみを同じ番組ファイルに格納して前記録画媒体に記録することを特徴とする録画装置。
【請求項２】
前記コピー制御情報に示されるコピー制限の種類は、コピーワンス、ダビング１０、コピーフリー、及びＥＰＮであることを特徴とする請求項１に記載の録画装置。
【発明の詳細な説明】
【技術分野】
【０００１】
本発明は、番組ファイルを記録可能な録画装置に関する。
【背景技術】
【０００２】
近年、著作権保護を目的として、「コピーワンス」や、「ダビング１０」や、「コピーフリー」等のコピー制限が設定されたテレビジョン番組と該当の番組のコピー制御情報とを格納した番組ファイルを記録可能な録画装置が普及している。この種の録画装置は、ダビング対象の番組ファイル内に、種類の異なるコピー制限を示すコピー制御情報が混在している場合、最も厳しいコピー制限を優先してダビングを行う。具体的には、例えば図５に示すように、コピー制限が「コピーワンス」である番組Ｃ１０１と、コピー制限が「ダビング１０」である番組Ｃ１０２と、コピー制限が「コピーフリー」である番組Ｃ１０３とが格納された番組ファイルＣをタビングする場合を想定する。このとき、上記の録画装置では、ダビング時のコピー制限として番組ファイルＣ内で一番制限の厳しい「コピーワンス」を適用してダビングするため、番組ファイルＣをムーブすることしかできない。従って、番組Ｃ１０２及び番組Ｃ１０３についてはコピー制限に基づく回数分だけダビングできないという問題がある。
【０００３】
これに対して、従来から番組ファイル内のコピー制限が異なる複数の番組を格納した番組ファイルをユーザが手動操作で装置に指示して別の番組ファイルとして分割することにより、コピー制限に基づく回数分だけダビングすることができる方法が知られている。しかしながら、この方法ではユーザに手間がかかるため、使い勝手が悪い。また、特許文献１には、番組ファイル内の各番組に異なるコピー制限が設定されている場合に、コピー制限が設定されていることをユーザに通知する録画装置が開示されている。また、特許文献２には、コピー制限が「コピーワンス」である番組を条件に応じてコピー可能とする録画装置が開示されている。しかしながら、これらの録画装置では上記問題を解決できない。
【０００４】
また、特許文献３には、ダビング対象の番組ファイル内にコピー制限が「コピーフリー」である番組と、「コピーワンス」である番組とが混在しているときに、「コピーフリー」である部分のみを抜き出してダビングすることができる録画装置が開示されている。しかしながら、この録画装置は、種々のコピー制限が設定されている複数の番組を格納した番組ファイル内の各番組を、コピー制限の種類毎に別々の番組ファイルに分けて格納することはできないので、「コピーフリー」以外の実際にコピー制限が課された番組を、そのコピー制限に適した回数だけダビングすることはできない。
【０００５】
ところで、特許文献４には、デジタル信号をコピー制御情報により暗号化して出力することによって盗聴、改ざんを防ぐことができる録画装置が開示されているが、この種の録画装置では上記問題を解決することができない。
【先行技術文献】
【特許文献】
【０００６】
【特許文献１】特開２００７−２１３６６８号公報
【特許文献２】特開２００７−１６５９５０号公報
【特許文献３】特開２００６−３５２４５３号公報
【特許文献４】特開２００６−２０３９２７号公報
【発明の概要】
【発明が解決しようとする課題】
【０００７】
本発明は、上述した問題点を解決するためになされたものであり、異なる種類のコピー制限が課された番組が連続して放送され、これらの番組をまとめて録画した場合であっても、これらの各番組をコピー制限に適した回数だけダビングすることができる録画装置を提供することを目的とする。
【課題を解決するための手段】
【０００８】
上記目的を達成するために請求項１の発明は、複数の番組とこれらの番組のコピー制御情報とを格納した番組ファイルを記録するための録画媒体と、前記録画媒体に番組ファイルを記録する録画手段と、録画対象となる各番組のコピー制御情報に示されるコピー制限の種類を判別するコピー制限判別手段と、装置各部を制御する制御手段とを備える録画装置において、前記制御手段は、前記録画手段を用いて前記録画媒体に番組ファイルを記録するときに、前記コピー制限判別手段を用いて、前記各番組のコピー制限の種類を判別し、この判別の結果、同種類のコピー制限が設定されている番組のみを同じ番組ファイルに格納して前記録画媒体に記録するものである。
【０００９】
請求項２に記載の発明は、請求項１に記載の録画装置において、前記コピー制御情報に示されるコピー制限の種類は、コピーワンス、ダビング１０、コピーフリー、及びＥＰＮであるものである。
【発明の効果】
【００１０】
本発明によれば、連続して放送された、異なるコピー制御の番組をまとめて録画媒体に録画するときに、各番組のコピー制限の種類を判別し、この判別の結果、同種類のコピー制限が設定されている番組のみを同じ番組ファイルとして録画媒体に記録する。これにより、異なる種類のコピー制限が課された番組が連続して放送された場合でも異なる種類のコピー制限が課された番組が混在する番組ファイルが録画媒体に記録されることがないので、録画した各番組に設定されているコピー制限に適した回数だけ各番組をダビングすることができる。
【図面の簡単な説明】
【００１１】
【図１】本発明の一実施形態に係るハードディスクレコーダの構成を示すブロック図。
【図２】上記ハードディスクレコーダの録画処理の手順を示すフローチャート。
【図３】（ａ）は、記録を行う番組ファイルの構成の一例を示し、（ｂ）は、ＨＤＤに記録された番組ファイルの構成の一例を示す図。
【図４】（ａ）は、記録を行う番組ファイルの構成の一例を示し、（ｂ）は、ＨＤＤに記録された番組ファイルの構成の一例を示す図。
【図５】従来の録画装置におけるダビング処理を説明する図。
【発明を実施するための形態】
【００１２】
本発明の一実施形態に係るハードディスクレコーダ（録画装置）について、図１を参照して説明する。図１は、ハードディスクレコーダ１の内部構成を示すブロック図である。ハードディスクレコーダ１は、放送局から放送されるテレビジョン番組の録画再生、及び
録画した番組とこれらの番組のコピー制限情報とを格納した番組ファイルの他の録画媒体へのダビングを行うことができる。番組ファイルには、コピーワンス、ダビング１０、コピーフリー、ＥＰＮ（Ｅｎｃｒｙｐｔｉｏｎ  Ｐｌｕｓ  Ｎｏｎ−ａｓｓｅｒｔｉｏｎ）等のコピー制限を示すコピー制御情報が設定されている。ハードディスクレコーダ１によって再生された番組ファイルの映像信号及び音声信号は、伝送ケーブル３を介してＴＶ受像機２に出力される。ＴＶ受像機２は、例えば液晶テレビやプラズマテレビなどのディスプレイやスピーカを有する表示装置である。
【００１３】
ハードディスクレコーダ１は、放送局から放送されるデジタルＴＶ放送信号に基づく番組を受信するデジタルチューナ１１と、リモコン装置４から送信されたリモコン信号を受信するリモコン信号受信部１２と、筐体外部に露出するように設けられたＨＤＭＩ端子等から構成される端子部１３とを備える。また、ハードディスクレコーダ１は、各種情報が記憶されるメモリ１４と、光ディスクドライブ１５と、番組ファイルを記録するハードディスク（請求項における録画媒体；以下、ＨＤＤという）１６と、アクセス部（録画手段）１７と、装置各部の制御を行う制御用マイコン（制御手段）１８とをさらに備える。
【００１４】
メモリ１４には、制御用マイコン１８を動作させるためのプログラム１４ａや、録画を行うＴＶ番組の情報が格納された録画番組情報１４ｂ等が記憶されている。光ディスクドライブ１５は、内部にＤＶＤ等の光ディスクＤが装着され、光ディスクＤに記録されている番組ファイルの読み出しや、光ディスクＤに対する番組ファイルの書込み（ダビング）を行う。
【００１５】
アクセス部１７は、ＨＤＤ１６に対して番組ファイルの読み出しや書き込みを行う。制御用マイコン１８は、再生処理部１８ａと、録画処理部１８ｂと、コピー制御情報取得部１８ｃと、コピー制限判別部（コピー制限判別手段）１８ｄとを有する。
【００１６】
再生処理部１８ａは、デジタルチューナ１１によって受信された番組の番組ファイルや、光ディスクドライブ１５によって光ディスクＤから読み出された番組ファイルや、アクセス部１７を介してＨＤＤ１６から読み出した番組ファイルの再生を行い、再生された番組ファイルの映像信号及び音声信号をＴＶ受像機２に出力する。
【００１７】
録画処理部１８ｂは、例えばユーザによって設定された録画番組情報１４ｂに基づいてデジタルチューナ１１から受信された番組の番組ファイルをＨＤＤ１６に記録する処理（以下、録画処理という）や、ＨＤＤ１６に記録した番組ファイルを光ディスクＤにダビングする処理を行う。本ハードディスクレコーダ１における録画処理は、複数の番組を録画するときに、各番組をコピー制限の種類毎に別々の番組ファイルに分割してＨＤＤ１６に記録する処理である。本処理の詳細については後述する。
【００１８】
コピー制御情報取得部１８ｃは、デジタルチューナ１１によって受信された番組や、光ディスクＤから読み出した番組ファイルに設定されているコピー制御情報を取得するものである。コピー制御情報には、番組ファイル内の番組におけるコピー制限の種類や、このコピー制限を、番組ファイル内のどの番組に適用するか、つまり例えば開始から数分間だけ適用するか等の適用情報を含むものである。コピー制限判別部１８ｄは、コピー制御情報取得部１８ｃによって取得されたコピー制御情報に示されるコピー制限の種類を判別するものである。
【００１９】
次に、録画処理の手順について、図２に示すフローチャートを参照して説明する。ここでは、デジタルチューナ１１によって受信した番組をＨＤＤ１６に録画するものとする。
【００２０】
まず、制御用マイコン１８は、デジタルチューナ１１から録画する番組とこの番組のコピー制御情報を受信し（Ｓ１）、コピー制御情報取得部１８ｃを用いて、受信したデータに含まれる番組のコピー制御情報を取得する（Ｓ２）。そして、コピー制限判別部１８ｄを用いて、取得したコピー制御情報に示されるコピー制限の種類を判別する（Ｓ３）。
【００２１】
上記Ｓ３の結果、コピー制限の種類が「コピーワンス」である場合（Ｓ４でＹＥＳ）、制御用マイコン１８は、録画処理部１８ｂを用いて、コピー制限が「コピーワンス」である番組を１つの番組ファイルとしてＨＤＤ１６に記録する（Ｓ５）。また、コピー制限の種類が「ダビング１０」である場合（Ｓ４でＮＯ、Ｓ６でＹＥＳ）、制御用マイコン１８は、録画処理部１８ｂを用いて、コピー制限が「ダビング１０」である番組を１つの番組ファイルとしてＨＤＤ１６に記録する（Ｓ７）。
【００２２】
また、コピー制限の種類が「ＥＰＮ」である場合（Ｓ４でＮＯ、Ｓ６でＮＯ、Ｓ８でＹＥＳ）、制御用マイコン１８は、録画処理部１８ｂを用いて、コピー制限が「ＥＰＮ」である番組を１つの番組ファイルとしてＨＤＤ１６に記録する（Ｓ９）。また、コピー制限がいずれでもない場合（Ｓ４でＮＯ、Ｓ６でＮＯ、Ｓ８でＮＯ）、制御用マイコン１８は、録画処理部１８ｂを用いて、これらの番組をコピー制限が「コピーフリー」である番組として１つの番組ファイルに格納してＨＤＤ１６に記録する（Ｓ１０）。
【００２３】
そして、番組の録画が終了した場合（Ｓ１１でＹＥＳ）、録画処理を終了する。一方、番組の録画が終了していない場合（Ｓ１１でＮＯ）、上記Ｓ１以降の処理を繰り返す。
【００２４】
次に、上記図２の録画処理によって録画される番組ファイルの例について、図３を参照して説明する。図３（ａ）は、録画対象となる番組の構成を示し、図３（ｂ）は、ＨＤＤ１６に記録された番組ファイルＡ１〜Ａ３の構成を示す。図３（ａ）に示すように、コピー制限が「コピーワンス」である番組Ｃ１１と、コピー制限が「ダビング１０」である番組Ｃ１２と、コピー制限が「コピーフリー」である番組Ｃ１３とが連続して放送され、これらの番組を録画するものとする。上記図２に示した録画処理をこれらの番組に対して行うと、図３（ｂ）に示すように、ＨＤＤ１６には、コピー制限が「コピーワンス」である番組ファイルＡ１（番組Ｃ１１）と、コピー制限が「ダビング１０」である番組ファイルＡ２（番組Ｃ１２）と、コピー制限が「コピーフリー」である番組ファイルＡ３（番組Ｃ１３）とが記録される。このように、ＨＤＤ１６に記録される各番組ファイルＡ１〜Ａ３には、コピー制限の種類が異なる番組が混在しない。
【００２５】
次に、上記図２の録画処理によって録画される番組ファイルの別の例について、図４を参照して説明する。図４（ａ）は、録画対象となる番組の構成を示し、図４（ｂ）は、ＨＤＤ１６に記録された番組ファイルＢ１〜Ｂ３の構成を示す。図４（ａ）に示すように、コピー制限が「コピーワンス」である番組Ｃ２１と、コピー制限が「ダビング１０」である番組Ｃ２２と、コピー制限が「ＥＰＮ」である番組Ｃ２３とが連続して放送され、これらの番組を録画するものとする。上記図２に示した録画処理をこれらの番組に対して行うと、図４（ｂ）に示すように、ＨＤＤ１６には、コピー制限が「コピーワンス」である番組ファイルＢ１（番組Ｃ２１）と、コピー制限が「ダビング１０」である番組ファイルＢ２（番組Ｃ２２）と、コピー制限が「ＥＰＮ」である番組ファイルＢ３（番組Ｃ２３）とが記録される。このように、ＨＤＤ１６に記録される各番組ファイルＢ１〜Ｂ３には、コピー制限の種類が異なる番組が混在しない。
【００２６】
上述したように、本実施形態に係るハードディスクレコーダ１においては、連続して放送された、異なるコピー制限の番組をまとめてＨＤＤ１６に録画するときに、制御用マイコン１８が、コピー制限判別部１８ｄを用いて、各番組のコピー制限の種類を判別し、この判別の結果、同種類のコピー制限が設定されている番組のみを同じ番組ファイルとしてＨＤＤ１６に記録する。そのため、異なるコピー制限が課された番組が混在する番組ファイルがＨＤＤ１６に記録されないので、録画した各番組に設定されているコピー制限に適した回数だけ各番組をダビングすることができる。
【００２７】
なお、本発明は、上記実施形態の構成に限られず、発明の趣旨を変更しない範囲で種々の変形が可能である。例えば、上記実施例では、ＨＤＤ１６に番組を録画する例を示したがこれに限られず、光ディスクＤに番組を録画するものであってもよい。
【符号の説明】
【００２８】
１  ハードディスクレコーダ（録画装置）
１６  ＨＤＤ（録画媒体）
１７  アクセス部（録画手段）
１８  制御用マイコン（制御手段）
１８ｂ  録画処理部（録画手段）
１８ｄ  コピー制限判別部（コピー制限判別手段）
【図１】
2010165419.tif 000003
【図２】
2010165419.tif 000004
【図３】
2010165419.tif 000005
【図４】
2010165419.tif 000006
【図５】
2010165419.tif 000007